(57)【特許請求の範囲】
【請求項１】
電気的出力を電気供給ネット（１２０）へ供給するための、複数の風力発電装置（１００）を有するウインドパーク（１１２）又は風力発電装置（１００）の運転方法であって、以下のステップ：
・電気的出力を電気供給ネット（１２０）へ供給すること、
・所定の将来の予測期間にウインドパーク（１１２）又は風力発電装置（１００）によって供給される出力を表す予測出力（ＰＷ，Ｐ）を求めること、
・予測期間に供給される出力（ＰＭ）がその分だけ低減可能な出力を予測期間について表す低減予測出力（ＰｎＲ）を決定すること、及び、
・低減予測出力（ＰｎＲ）をマイナス制御出力として提示すること、
を含み、
・低減予測出力（ＰｎＲ）は、
・予測出力（ＰＷ，Ｐ）に依存して、かつ
・制御可能消費電力に依存して、
決定されること、
但し、制御可能消費電力は、予測期間においてウインドパーク（１１２）にないし風力発電装置に存在する制御可能消費装置（２４４）によって、要求に応じて、消費可能な電力を表すこと
を特徴とする、方法。
【請求項２】
請求項１に記載の方法において、
供給出力（ＰＭ）は、ネット支援のための要求に応じて予測期間に低減予測出力（ＰｎＲ）のレベルまでの値だけ低減されること
を特徴とする、方法。
【請求項３】
請求項１又は２に記載の方法において、
制御可能消費装置（２４４）の１つ又は複数がスイッチオンされ及び／又はそれらによる電力受容が制御されることによって、供給出力（ＰＭ）は低減され、その際、まだ低減されていない供給出力（ＰＭ）が低減予測出力（ＰｎＲ）よりもより小さくかつ要求された低減出力よりもより小さい場合、付加的に、電力が電気供給ネットから取り出されかつ消費されること
を特徴とする、方法。
【請求項４】
請求項１〜３の何れかに記載の方法において、
低減予測出力（ＰｎＲ）は、付加的に少なくとも、
・予測出力（ＰＷ，Ｐ）若しくは予め設定可能な品質係数が乗ぜられたその値又は予測出力（ＰＷ，Ｐ）の最小値と、
・制御可能消費電力と
から構成されること、
但し、制御可能消費電力を決定するために、各制御可能消費装置（２４４）の予測利用率が夫々考慮されること
を特徴とする、方法。
【請求項５】
請求項１〜４の何れかに記載の方法において、
制御可能消費電力は、複数の部分電力から構成されること、但し、
・各部分電力は夫々１つの制御可能消費装置（２４４）に割り当てらており、及び、
・これらの部分電力の１つ、複数又は全ては、夫々、
・各自の制御可能消費装置（２４４）の最大電力に、
・各自の制御可能消費装置（２４４）の予測利用率を乗じたもの
から求められること
を特徴とする、方法。
【請求項６】
請求項１〜５の何れかに記載の方法において、
制御可能消費装置（２４４）は、ウインドパーク（１１２）の中央パーク制御ユニット（２３２）によって制御されること、及び／又は、
中央パーク制御ユニット（２３２）は、電気供給ネット（１２０）の制御のために設けられているネットコントロールセンタ（２４２）から、ネット支援のための要求としての要求信号を受け取り、及び、この要求に依存して、供給出力（ＰＭ）を低減し、場合によっては制御可能消費装置（２４４）を相応に制御すること
を特徴とする、方法。
【請求項７】
請求項１〜６の何れかに記載の方法において、
・ウインドパーク（１１２）の複数の風力発電装置（１００）ないし風力発電装置（１００）によって生成される風出力に加えて、少なくとも短時間、付加的な出力を電気供給ネット（１２０）への給電のために提供するために、少なくとも１つのエネルギ蓄積装置がウインドパーク（１１２）ないし風力発電装置（１００）に設けられていること、
・低減予測出力（ＰｎＲ）が付加的に少なくとも１つのエネルギ蓄積装置の利用可能な出力に依存して決定されること、
を特徴とする、方法。
【請求項８】
請求項１〜７の何れかに記載の方法において、
低減予測出力（ＰｎＲ）は、マイナス分単位制御出力として利用されること
を特徴とする、方法。
【請求項９】
請求項１〜８の何れかに記載の方法において、
制御可能消費装置（２４４）の１つの、複数の又はすべての制御のために又はその制御の連係のために、中央消費制御ユニット（２４６）が設けられており、
中央消費制御ユニット（２４６）は、中央パーク制御ユニット（２３２）に接続されており、及び、制御可能消費装置（２４４）の消費が全体として望まれる低減分の値を表す全体消費目標値を中央パーク制御ユニット（２３２）から受け取ること
を特徴とする、方法。
【請求項１０】
請求項１〜９の何れかに記載の方法において、
予測出力（ＰＷ，Ｐ）及び／又は低減予測出力（ＰｎＲ）は、予測期間にわたる時間推移として与えられること
を特徴とする、方法。
【請求項１１】
請求項１〜１０の何れかに記載の方法において、
・予測期間は、１２〜４８時間又は１８〜３６時間又は凡そ２４時間であること、及び／又は、
・予測期間は、４時間時間セグメントに分割されていること、及び／又は、
・予測期間は、１５分区間に分割されていること
を特徴とする、方法。
【請求項１２】
電気供給ネット（１２０）へ電気的出力を供給するための、複数の風力発電装置（１００）を有するウインドパーク（１１２）であって、
・電気供給ネット（１２０）へ電気的出力を供給するための給電装置（２３０）、
・所定の将来の予測期間にウインドパーク（１１２）によって供給可能な出力を表す予測出力（ＰＷ，Ｐ）を計算するための計算装置（２３４）、
・予測期間に供給される出力がその分だけ低減可能な出力を予測期間について表す低減予測出力（ＰｎＲ）を決定するための予測決定手段（２３６）、
・低減予測出力（ＰｎＲ）をマイナス制御出力として提示するための提示手段（２３８）、及び、
・要求に応じて電力を消費することが可能な少なくとも１つの制御可能消費装置（２４４）
を含むこと、但し、
・計算装置（２３４）は、
・低減予測出力（ＰｎＲ）が予測出力（ＰＷ，Ｐ）に依存して、かつ、
・制御可能消費電力に依存して決定されるよう、構成されること、但し、制御可能消費電力は、予測期間において、ウインドパーク（１１２）に存在する少なくとも１つの制御可能消費装置（２４４）によって、要求に応じて、消費可能な電力を表すこと
を特徴とする、ウインドパーク。
【請求項１３】
請求項１２に記載のウインドパークにおいて、
該ウインドパーク（１１２）は請求項１〜１１の何れかに記載の方法を実行するよう構成されており、該ウインドパーク（１１２）は中央パーク制御ユニット（２３２）を有しかつ該中央パーク制御ユニット（２３２）は当該方法を全体として又は部分的に実行すること
を特徴とする、ウインドパーク。
【請求項１４】
請求項１２又は１３に記載のウインドパークにおいて、
制御可能消費装置（２４４）の１つ、複数又はすべての制御又はその制御の連係のために、中央消費制御ユニット（２４６）が設けられていること、
中央消費制御ユニット（２４６）は、中央パーク制御ユニット（２３２）に接続され、及び、制御可能消費装置の消費が全体としてその分だけ低減されることが望まれる値を表す全体消費目標値を中央パーク制御ユニット（２３２）から受け取るよう構成されること
を特徴とする、ウインドパーク。
【請求項１５】
請求項１２〜１４の何れかに記載のウインドパークにおいて、
・消費装置の少なくとも１つは、電力消費のためにウインドパーク内の制御装置によってスイッチオンされるよう、外部からオンオフ切替可能な消費装置として構成されること、及び／又は、
・消費装置の少なくとも１つは、出力のレベルが調節可能な出力消費のためにウインドパーク内の制御装置によって制御されるよう、その出力受容について外部から制御可能な消費装置として構成されること、
但し、制御装置は、中央パーク制御ユニットとして及び／又は消費制御ユニットとして構成されること
を特徴とする、ウインドパーク。
【請求項１６】
請求項１２〜１５の何れかに記載のウインドパークにおいて、
・ウインドパーク（１１２）の複数の風力発電装置（１００）によって生成される風出力に加えて、少なくとも短期間、付加的な出力を電気供給ネットへの給電のために提供するために、少なくとも１つのエネルギ蓄積装置が当該ウインドパーク（１１２）に設けられていること、
但し、少なくとも１つのエネルギ蓄積装置は、
・付加的出力をネット運用者による要求に応じて低減するよう、及び、
・その蓄積状態に関する情報及び／又は予測期間に低減可能な出力に関する予測を提供するよう、
構成されること
を特徴とする、ウインドパーク。
【請求項１７】
電気供給ネット（１２０）へ電気的出力を供給するための風力発電装置（１００）であって、
・電気供給ネット（１２０）へ電気的出力を供給するための給電装置（２３０）、
・所定の将来の予測期間に当該風力発電装置（１００）によって供給可能な出力を表す予測出力（ＰＷ，Ｐ）を計算するための計算装置（２３４）、
・予測期間に供給される出力がその分だけ低減可能な出力を予測期間について表す低減予測出力（ＰｎＲ）を決定するための予測決定手段（２３６）、
・低減予測出力（ＰｎＲ）をマイナス制御出力として提示するための提示手段（２３８）、及び、
・要求に応じて出力を消費することが可能な少なくとも１つの制御可能消費装置（２４４）
を含むこと、但し、
・計算装置（２３４）は、
・低減予測出力（ＰｎＲ）が予測出力（ＰＷ，Ｐ）に依存して、かつ、
・制御可能消費電力に依存して決定されるよう、構成されること、但し、制御可能消費電力は、予測期間において、当該風力発電装置（１００）に存在する少なくとも１つの制御可能消費装置（２４４）によって、要求に応じて、消費可能な電力を表すこと
を特徴とする、風力発電装置。
【発明の詳細な説明】
【技術分野】
【０００１】
本発明は複数の風力発電装置を有するウインドパークの運転方法に関する。更に、本発明は対応するウインドパークに関する。
【背景技術】
【０００２】
ウインドパークは既知である。ウインドパークは、複数の風力発電装置を有し、これらの風力発電装置によって共通のネット接続点を介して電気供給ネットへ給電する。エネルギの供給というこの主要課題に加えて、そのようなウインドパークは、電気供給ネットの支援のための課題も引き受け又は少なくとも一定の貢献を行うことができる。
【０００３】
ネット支援に対する重要な、少なくとも可能な貢献の１つは、所望の際に供給出力を低減することである。これに関し、風力発電装置やウインドパークは、極めて迅速に供給出力を低減することができるという特性を有する。これらは、その供給出力を例えば僅か数秒以内に半減することができる。このため、風力発電装置ないしウインドパークは、原理的に、電気供給ネットにおいて、その出力を難なく最も迅速に低減することが可能な生成装置（発電装置）を構成する。このことは、とりわけ、これらが出力低減後実用上同様に迅速にその出力を再び供給することができることも意味する。そのため、とりわけ短期間に過剰な電力が関連する電気供給ネットに存在する状況に対し、風力発電装置（複数）によって、その出力を同様に短期間低減することによって、迅速な支援を達成することができる。
【先行技術文献】
【特許文献】
【０００４】
【特許文献１】ＤＥ １０ ２０１２ ２１５ ５６５ Ａ１
【特許文献２】ＵＳ ２０１６／０２２６２５８ Ａ１
【発明の概要】
【発明が解決しようとする課題】
【０００５】
一貫して安定な電気供給ネットを保証可能にするためには、単にネット運用者とも称される電気供給ネットの運用者にとって、低減可能な出力に関する情報を有することは重要である。風力発電装置ないしウインドパークはそれらの供給出力を原理的に容易に全く短時間で低減することも可能であるが、これは、その限りにおいて、出力が供給されることも前提としている。供給出力は、ウインドパークの場合、とりわけ支配的な（vorherrschend）風速にも依存する。
【０００６】
ネット運用者に対し例えば１日について予め計画可能にするためには、予測期間の間に供給可能な出力を従って低減可能な出力も見積もるために、風予測ないし天候予測を行うことができる。
【０００７】
かくして、そのような期待可能出力を見積もることができ、ネット運用者はその計画に取り入れることは可能であるが、この出力は、ネット運用者が確実に見込む（期待する）ことができる程に確定的には分からない（知ることはできない）。このため、しばしば、予測出力のうち現実には僅か数パーセント、例えば３％、が確定された（確実に存在する）とみなし得ることを前提とする一種のリスク評価が行われる。従って、１ＭＷの出力が予測される場合、確実性が３％であると見積もると、３０ｋＷの支援値（Stuetzwert）が確実なもの（確定されたもの）として得られる。これに応じて、このシステム（系統）サービス（Systemdienstleistung）の補償についても、この確実性の値のみがその基礎とされる。換言すれば、上記の例示の事例の場合、１ＭＷのマイナスの分単位制御出力（Minutenregelleistung）が利用可能であり得るのに対し、市場に提供される（販売ないし取引される）のは僅か３０ｋＷということがあり得る。
【０００８】
それゆえ、本発明の課題は上記の問題の少なくとも１つに取り組むことである。とりわけ、ウインドパークが可及的に大きなマイナス制御出力とりわけ分単位制御出力を提供することができ、即ち予め計画された期間についても確実に利用可能にすることができ、そのため、ネット運用者が当該出力を確実に見込むことができることないしはウインドパーク運用者が当該出力をネット運用者に販売することができることを可能にする解決策の提案が望まれる。少なくとも、従来既知の方策に対する代替的な方策の提案が望まれる。
【０００９】
ドイツ特許商標庁は、本ＰＣＴ出願についての優先権の基礎出願において、以下の先行技術を調査した：ＤＥ １０ ２０１２ ２１５ ５６５ Ａ１及びＵＳ ２０１６／０２２６２５８ Ａ１。
【課題を解決するための手段】
【００１０】
本発明の第１の視点により、電気的出力を電気供給ネットへ供給するための、複数の風力発電装置を有するウインドパーク又は風力発電装置の運転方法が提供される。該方法は、以下のステップ：
・電気的出力を電気供給ネットへ供給すること、
・所定の将来の予測期間にウインドパーク又は風力発電装置によって供給される出力を表す予測出力を求めること、
・予測期間に供給される出力がその分だけ低減可能な出力を予測期間について表す低減予測出力を決定すること、及び、
・低減予測出力をマイナス制御出力として提示すること、
を含み、
該方法において、
・低減予測出力は、
・予測出力に依存して、かつ
・制御可能消費電力に依存して、
決定されること、
但し、制御可能消費電力は、予測期間においてウインドパークにないし風力発電装置に存在する制御可能消費装置によって、要求に応じて、消費可能な電力を表すこと
を特徴とする（形態１・第１基本構成）。
本発明の第２の視点により、
電気供給ネットへ電気的出力を供給するための、複数の風力発電装置を有するウインドパークが提供される。該ウインドパークは、
・電気供給ネットへ電気的出力を供給するための給電装置、
・所定の将来の予測期間にウインドパークによって供給可能な出力を表す予測出力を計算するための計算装置、
・予測期間に供給される出力がその分だけ低減可能な出力を予測期間について表す低減予測出力を決定するための予測決定手段、
・低減予測出力をマイナス制御出力として提示するための提示手段、及び、
・要求に応じて電力を消費することが可能な少なくとも１つの制御可能消費装置
を含むこと、但し、
・計算装置は、
・低減予測出力が予測出力に依存して、かつ、
・制御可能消費電力に依存して決定されるよう、構成されること、但し、制御可能消費電力は、予測期間において、ウインドパークに存在する少なくとも１つの制御可能消費装置によって、要求に応じて、消費可能な電力を表すこと
を特徴とする（形態１２・第２基本構成）。
本発明の第３の視点により、電気供給ネットへ電気的出力を供給するための風力発電装置が提供される。該風力発電装置は、
・電気供給ネットへ電気的出力を供給するための給電装置、
・所定の将来の予測期間に当該風力発電装置によって供給可能な出力を表す予測出力を計算するための計算装置、
・予測期間に供給される出力がその分だけ低減可能な出力を予測期間について表す低減予測出力を決定するための予測決定手段、
・低減予測出力をマイナス制御出力として提示するための提示手段、及び、
・要求に応じて出力を消費することが可能な少なくとも１つの制御可能消費装置
を含むこと、但し、
・計算装置は、
・低減予測出力が予測出力に依存して、かつ、
・制御可能消費電力に依存して決定されるよう、構成されること、但し、制御可能消費電力は、予測期間において、当該風力発電装置に存在する少なくとも１つの制御可能消費装置によって、要求に応じて、消費可能な電力を表すこと
を特徴とする（形態１７・第３基本構成）。
【発明を実施するための形態】
【００１１】
本方法は複数の風力発電装置を有するウインドパークを出発点とする。これらの風力発電装置によって風から電気的出力（電力）が生成され、この電気的出力はこのウインドパークから電気供給ネットへ、具体的には通常はネット接続点を介して、供給される。このようにして、電気的出力は電気供給ネットへ供給される。
【００１２】
原理的には、ウインドパークの代わりに、１つの風力発電装置のみでも利用可能である。この場合、１つの風力発電装置は、原理的に、ウインドパークと同様に動作するが、大抵は、ウインドパークより少ない出力を供給し、従って、ネット支援のためにはしばしばそれほど重要ではないが、考慮には入れられる。ウインドパークについての以下の説明はすべて１つの風力発電装置に対しても同様に妥当する。但し、例えばウインドパーク内の複数の風力発電装置の連係運転に関する特徴事項のような、１つの風力発電装置には転用できないウインドパークに特有の性質に関する事項は除く。
【００１３】
更に、予測出力が求められる。予測出力とは、所定の将来の予測期間にウインドパークによって供給され得る出力である。ここでは、とりわけ、風予測ないし天候予測が行われ、ついで、該風予測ないし天候予測から、ウインドパークが例えば来るべき２４時間に供給可能な出力の大きさ（量）が導き出される。この場合、有利には、すべての風力発電装置が運転の準備ができている（運転可能な状態である）か否か、又は例えば整備を受ける必要があるか否かについても一緒に考慮される。なお、これらは境界条件の例として列挙されたものに過ぎない。天候予測は、例えば、着氷状態が見込まれ得るか否か、それに応じて、いくつかの風力発電装置が運転不可能であるか又はロータブレードを同時に加熱する場合にのみ運転可能であるか否かについても考慮することができる。なお、これらは考慮事項の更なる例として列挙されたものに過ぎない。
【００１４】
更に、予測期間について、低減予測出力（Reduktionsprognoseleistung）が決定される。この低減予測出力とは、予測期間において供給出力がその分だけ低減可能な出力（予測期間における供給出力の可能な出力低減分）である。
【００１５】
更に、低減予測出力は、マイナス制御出力として、とりわけ取引可能なマイナス制御出力として、提供される。ウインドパークは、このために、例えば、ウインドパークの供給出力について低減可能な時点ないし期間及び出力の低減分に関する情報を含む信号をネット運用者へ伝送する。
【００１６】
低減予測出力が予測出力に依存して及び制御可能な消費電力に依存して決定されることが、今や、提案される。予測出力の決定については既に説明した。制御可能な消費電力とは、予測期間においてウインドパーク内に存在する制御可能な消費装置によって要求（指令）に応じて消費されることが可能な電力（出力）である。そのような制御可能な消費装置は、例えば、ブレード加熱装置、又は送風機であり得るが、これらは単なる例示に過ぎない。尤も、ウインドパークの部分であるが、直接的には風力発電装置の部分ではない消費装置も考慮される。ウインドパーク内の電気的ライン（送電線）も電気消費装置として利用可能である。少なくとも、ここでは、要求に応じて制御可能な消費装置が考慮される。従って、出力の消費のための要求に応じて、とりわけ中央制御ユニットが生成する要求に応じて、目標を定めて（目的通りに）制御可能な消費装置が問題となる。とりわけ、そのような消費装置がその通常の使用目的に加えて及び／又は当該目的とは独立に制御されることが問題となる。ブレード加熱装置の通常の使用目的とは、これも例示に過ぎないが、対応するロータブレードを氷除去又は着氷に対する保護のために加熱することである。尤も、そのようなブレード加熱装置は、着氷が存在しない場合又は阻止されるべきものがない場合にも運転可能である。この例示的に列挙したブレード加熱装置がその本来の使用目的、即ち除氷ないし着氷阻止、から独立しても、とりわけ中央パーク制御ユニットによって、制御可能である限り、この加熱装置は本発明の意義における要求に応じて制御可能な消費装置であり、制御可能な消費電力（消費出力）を提供することができる。
【００１７】
上記の更なる例、即ちウインドパーク内の伝送ライン（送電線）を取り上げると、その本来の目的は、出力（電力）を伝送すること、即ちとりわけ夫々１つの風力発電装置からネット接続点へ出力（電力）を伝送することである。ここで、今、付加的に、ある風力発電装置から無効電力が伝送され、該無効電力が他の風力発電装置によって受容（取り込み）されるか又は該無効電力を相応に補償する（相殺する）無効電力が他の風力発電装置によって供給されるとすれば、この場合、このライン（Leitung）は、制御可能な消費装置として運転されることになり、そのような消費電力が要求に応じて、とりわけ中央パーク制御ユニットによる要求に応じて制御可能であるならば、本発明の意義における制御可能な消費装置を構成する。とりわけ、少なくとも１つの風力発電装置はそのような無効電流を生成することが可能であり、これによって、電気供給ネットからの無効電流が受容され（取り込まれ）、以って、（ウインドパーク内の）電気的ラインにおいて電力消費が行われることになる。
【００１８】
今や、ウインドパーク全体について、存在するないしは活性化（作動）可能な（aktivierbar）そのような又は他の制御可能な消費電力の大きさ（量）が考慮される。この存在するないしは活性化可能な制御可能消費電力及び既に説明した予測出力は、これらに依存して低減予測出力を決定するための基礎として利用される。
【００１９】
とりわけ、これに関し、低減予測出力はこの制御可能消費電力によってその大きさ（量：Betrag）が増大可能であるという知見が（本発明によって）得られた。予測出力は、場合によっては正確ではないか又は十分には確定的に既知ではなく、従って、場合によっては、低減予測出力の決定のために部分的にしか考慮されることはできないが、何はともあれ、考慮されることは可能である。予測期間内の（ある）時間セグメント（Zeitabschnitt）のための予測出力について最小値が使用されることにより、当該予測期間についての低減予測出力はこの最小値に依存して計算されると有利である。
【００２０】
更に、低減予測出力の決定は制御可能消費電力を伴うが、これは、通常、少なくともある程度まで確定的なものとしてみなされることができるという利点を有する。ブレード加熱装置についての上記の例についていえば、このブレード加熱装置の電力（出力）受容（消費）（量）は分かっており（既知であり）、及び、このブレード加熱装置がそもそも予測期間において別途に必要とされているか又は制御可能消費電力として利用可能であるかについても良好に分かっている（既知である）。従って例えば十分に暖かければ、このブレード加熱装置が必要とされることについて考慮する必要はない。この場合、過剰加熱を回避するために、外部温度に依存して場合によっては部分的な加熱のみを考慮するか否かについては依然として考慮すると有利である。尤も、通常は、ブレード加熱装置がその公称（定格）値までは持続的に運転されることができるという状況が存在し得る。この場合、この公称値は制御可能消費電力として利用され、低減予測出力の決定のために使用されることができる。
【００２１】
低減予測出力は、従って、予測出力の部分と制御可能消費電力から構成されることができる。即ち、これらの値はその大きさ（量）に基づいて即ち予測出力の考慮可能な部分の大きさ（量）と制御可能消費電力の大きさ（量）に基づいて加え合わせられることができる。
【００２２】
有利には、供給出力がネット支援のための要求に応じて予測期間に低減予測出力のレベル（Hoehe）までの値だけ低減されることが提案される。従って、低減予測出力が決定されかつ例えばネット運用者ないしそのネットコントロールセンタへ提示（提案：Angebot）として伝送されたことが前提とされている。今や、ネット運用者がこの予測されかつ提供された低減予測出力を活用するそのような支援事象が生じると、ウインドパークはその供給出力を相応に低減する。即ち、この場合、ネット運用者は提供された低減予測出力の一部分を要求することができるか又はこの提供された低減予測出力を完全に要求することができる。ウインドパークは、従ってこの場合、ネット運用者が要求する値だけその供給出力を低減する。
【００２３】
尤も、この場合、ウインドパークは必ずしも制御可能消費装置の使用（制御）を開始する必要はなく、まず初めに、供給出力を低減することができる。供給出力は、理想的な場合、以前に（予め）予測された出力即ちウインドパークがその際存在している予測期間の予測出力に相当する。この予測出力は、ネット運用者に提供された低減予測出力を決定する際に既に考慮されているが、これに限定されない。とりわけ、予測出力の一部分のみが低減予測出力の決定の際に考慮されたと想定すべきである。即ち、ここでは、低減予測出力の決定の際に確定的に供給される出力であると考えられたものよりもより多くの出力が供給されることの可能性が極めて大きい。これに応じて、実際に供給される出力も相応により多くの分だけ低減されることができる。
【００２４】
簡単な一例を挙示するために、１ＭＷの予測出力が予測されることができたとする。この場合、そのうちの３％が、即ち３０ｋＷが、確定的な（確実な）値として低減予測出力の決定のために考慮されたとする（なお、これらはこの例限りのものである）。更に、３００ｋＷの制御可能消費電力が存在するものとする。低減予測出力は、従ってこの場合、この例では、３３０ｋＷになる。ここで、予測された出力即ち予測出力が実際に生じており、即ちそのレベルが１ＭＷであり、かつ、ネット運用者が完全な低減予測出力の活用を望む場合、このことは、３３０ｋＷだけの供給出力の低減が要求されることを意味する。供給出力は、従ってこの場合、制御可能消費電力又はその一部を低減するために複数の制御可能消費装置のただの１つも要求に応じて制御されることなく、６７０ｋＷに低減されることができる。
【００２５】
この例示的な３３０ｋＷは単に提示（オファー）されることができただけではなく、確定的に提示されることができたことが決定的に重要であった。このために、制御可能消費電力が一緒に必要とされたため、ネット運用者はこの３３０ｋＷを当てにすることができたのである。そして、実際の支援事象が生じると、それにも拘らず、実際に供給される出力のみの低減を考慮することができる。尤も、この場合に要求される低減出力の全部又は一部も実際に制御可能消費装置によって充足（対応）できることは勿論である。生成出力を低減すること及び生成出力の一部を制御可能消費装置によって低減（除去）することの何れが好都合であるかについては、個別に決定することが可能であり、例えば消費装置の種類にも依存する。
【００２６】
尤も、予測出力として当初予測されたよりも明白により少ない出力が実際に生成されかつ供給される場合も考慮される。従って例えば予測されたよりも少ない出力が生成されかつ供給される一方で、大きな低減出力が要求される場合、そのために、（電気供給）ネットの出力（電力）がウインドパークによって受容されることも考慮される。従ってこの場合、マイナスの出力が供給されることになる。
【００２７】
従って例えば上記の例についていえば、２００ｋＷの出力のみが供給されかつネット運用者が完全に提供された低減予測出力を低減出力として要求する場合、即ちネット運用者が３３０ｋＷの低減出力を要求する場合、ウインドパークによる出力生成はゼロに低減されることが可能であり、これによって、供給出力は２００ｋＷだけ低減される。更に、１３０ｋＷがネットから受容され、制御可能消費装置によって消費されることができる。この場合、ウインドパークは、その供給出力を全体で３３０ｋＷだけ、従って提示される如くにかつ今やネット運用者によって要求される如くに、低減させた、即ち２００ｋＷから−１３０ｋＷに低減させたのである。これもまた単なる一例であり、１つの個別風力発電装置によってでさえも実現され得るものである。実際のところ、本発明の方法は、１つの個別風力発電装置によっても実行可能ではある。尤も、より大きな出力が支援出力（電力）としてネット運用者から望まれることが多いため、その場合、複数の風力発電装置を含むウインドパークの使用が有利である。
【００２８】
従って、制御可能消費装置の１つ又は複数がスイッチオンされ及び／又はそれらによる出力除去が制御されることによって供給出力が低減され、その際、供給されるが、まだ低減されていない出力が低減予測出力よりもより小さく、更には要求された低減出力よりもより小さい場合、付加的に、出力（電力）が電気供給ネットから受容（引出）されかつ消費されることが有利に提案される。従って、供給されるが、まだ低減されていな出力が要求された低減出力よりもより小さい場合、該要求された低減出力は少なくとも部分的に制御可能消費装置によって実現される。この場合、低減出力は最大でも低減予測出力までしか要求されないことが想定されている。勿論、低減予測出力よりもより大きい低減出力を提供ないし除去することも排除されるべきではない。しかしながら、低減予測出力の決定及び提供は差し当たりこの特殊例を想定するものではない。
【００２９】
有利には、低減予測出力は、少なくとも、予測出力又はその値（予め設定可能な品質係数（Ｑ値：Guetewert）が乗ぜられたもの）と制御可能消費電力とから構成されるよう決定される。従って、予測出力とは、予測期間に期待されかつとりわけ風予測及び／又は天候予測（但し必ずしもこれらに限定されない）に依存する出力である。確実に期待可能な出力をこの予測出力から導き出すために、この予測出力は予め設定可能なＱ値（従ってこれは１未満であるが１より大きくなければならない）が乗ぜられる。これ（Ｑ値）は例えば３％とすることができる。計算は（１つの）時間セグメントに対しても行うことができる。予測出力がこの時間セグメントにわたって変動する場合、予測出力の最小値を使用することができる。
【００３０】
そして、更に、制御可能消費電力が加わる。予め設定可能なＱ値が乗ぜられたこの予測出力又はそれが乗ぜられた予測出力値と制御可能消費電力とが加え合わされて、低減予測出力が得られる。対応する例については既に上において説明した。
【００３１】
有利には、制御可能消費電力の決定のために、更に、各制御可能消費装置の予測される利用率（予測利用率ないし予測利用可能性）も夫々考慮される。これについても、上において既に、制御可能消費装置としてのブレード加熱装置の例についての説明が与えられているが、それによれば、ブレード加熱装置の運転可能性は、一方では、該ブレード加熱装置がそもそも低減予測出力に対する寄与として考慮されるか又は天候を原因として場合によっては既にその本来の目的即ちブレード除氷又は着氷阻止に応じて使用されているかに依存する。即ち、ブレード加熱装置が除氷のために又は氷形成防御手段として使用される場合、その消費可能な出力は低減予測出力の一部ではない可能性がある。なぜなら、ブレード加熱装置は、供給出力が低減されなければならない状況が生じた場合、付加的な出力を受容（取り込み）できないからである。この場合、予測利用率はゼロであろう。
【００３２】
更なる例として、ブレード加熱装置が、周囲の温度が極めて大きいため、最大限に運転されると大きな温度値をもたらし得るので、最大限に運転されることができないことを挙げた。従って例えば、天候予測とりわけその限りで不都合な天候予測に依存して、ブレード加熱装置がその公称（定格）出力の５０％でのみ運転されることが可能であるような場合、予測利用率として、０．５％〜５０％の値が考慮されるであろう。
【００３３】
一実施形態に応じ、制御可能消費電力は複数の部分出力から構成される。各部分出力は夫々１つの制御可能消費装置に割り当てられており、従って、当該各自の制御可能消費装置の考慮されるべき出力を記述する（表す）。これらの部分出力の少なくとも１つは、各自の制御可能消費装置の最大出力に各自の制御可能消費装置の予測利用率を乗じたものから求められる（計算される）。有利には、複数の部分出力は、このようにして、その都度各自の制御可能消費装置に関連付けられて及び更にはその都度各自の制御可能消費装置の予測利用率に関連付けられて求められる（計算される）。有利には、すべての部分出力はこのようにして求められる（計算される）。
【００３４】
かくして、例えば、制御可能出力は２つの部分出力の合計であり得る。この場合、第１の部分出力は例えば既に上述したブレード加熱装置に割り当てられることができるであろう。この消費装置即ちこのブレード加熱装置の最大出力は当該消費装置の公称（定格）出力とすることができる。例えば、ブレード加熱装置は２００ｋＷの公称（定格）出力を有し得るであろう。天候予測により、これについては一例に応じて既に上述したが、ブレード加熱装置の出力の５０％のみが低減予測出力のために使用可能であるという結果が得られた場合、この場合、第１部分出力は、消費装置の最大出力としての２００ｋＷに５０％即ち予測利用率としての０．５を乗じた積から得られるであろう。第１の部分出力はこの例では１００ｋＷであろう。
【００３５】
第２の部分出力は、ウインドパークの伝送ライン（これはこれに接続され、これを介して無効電力ないし無効電流を伝送し又は受容する（受け取る）インバータを含む）に割り当てられることができるであろう。これによって最大で１００ｋＷの出力が消費可能であろうが、この出力又は少なくとも１つの所属インバータが供給されるべき出力の生成ないし伝送のために必要な出力（電力）が大きくなればなるほど、消費される電力は一層少なくなり得るであろう。従って、予測が、多くの風が期待されかつ多くの電力が供給可能であるというものである場合、（伝送）ラインは例えば３０％までのみ出力の消費のために使用されることができる。この場合、第２の部分出力のために、１００ｋＷに３０％を乗じた値、即ち、３０ｋＷが得られるであろう。
【００３６】
尤も、第２の部分出力についてのこの最後の具体的な例では、３０％の予測利用率の代わりに、値１即ち１００％を使用することも可能である。なぜなら、３０％の予測利用率は、多くの出力が供給される場合にのみ得られるものだからである。尤も、この場合もまた、出力低減が実行されなければならない状況が生じた場合、極めて多くの出力が低減出力として提供されることができる。付加的消費装置としての（伝送）ラインは、風予測にも拘らず、極めて少ない出力のみが供給されるか又はそれどころか出力が全く供給されないであろう場合にのみ必要とされるであろう。その場合には、伝送ラインも完全に制御可能消費装置として使用されることができるであろう。
【００３７】
この例では、従って、１００ｋＷの第１の部分出力と１００ｋＷの第２の部分出力からなる２００ｋＷの制御可能消費電力が得られるであろう。
【００３８】
制御可能消費装置（複数）がウインドパークの中央パーク制御ユニットによって制御されることが有利に提案される。そのため、ウインドパークのこの中央パーク制御ユニット（これは簡略化してウインドパーク制御器とも称され得る）を介して、ウインドパークのこれらの制御可能消費装置は制御され、従って管理されることができる。更に、制御可能消費装置（複数）はかくしてウインドパークのために全体として考慮されることができ、有利には、中央パーク制御ユニットが制御可能消費電力の計算ないし決定をそのレベルに基づいて実行する。とりわけ、中央パーク制御ユニットは低減予測出力の決定も実行する。かくして、ウインドパークは、ネット内ないしネット付近における、マイナス制御出力の提供による即ち低減予測出力の提供によるそのようなネット支援のための一単位として振舞う（作動する）ことができる。
【００３９】
更に又は代替的に、中央パーク制御ユニットが、電気供給ネットの制御のために設けられているネットコントロールセンタから要求信号を受け取ることが提案される。この場合、この要求信号は、ネット支援のための要求を形成することができる。更に、この中央パーク制御ユニットは、有利には、当該ユニットがこの要求に依存して供給出力を低減し、場合によっては制御可能消費装置を相応に制御するよう動作する。かくして、ネットコントロールセンタは、従ってとりわけ電気供給ネットを運用（運転）するネット運用者もまた、ウインドパークを有利な態様でネット支援のために利用することができる。特に、ネットコントロールセンタによって、大きいマイナス制御出力が極めて短時間内に活性化される（利用可能にされる）ことができる。このマイナス制御出力の少なくとも一部分は、消費装置の制御によって（その限りにおいて消費装置は負荷と称することも可能である）、実現されることができる。この場合、消費装置をスイッチオン又はスイッチオフすること、又は消費装置をその都度その消費のレベル（大きさ）において制御することも考慮される。更に、各風力発電装置のアウトプット出力もそのレベル（大きさ）が制御可能である。特に消費装置の制御と風力発電装置（複数）のアウトプット出力の制御の組み合わせによって、技術的限界の範囲内において、基本的に、各動作点における運転が可能であり、従って、ウインドパークはその出力（電力）のアウトプットを無段階的に調節することができる。
【００４０】
更なる一実施形態に応じ、ウインドパークの風力発電装置によって生成される風出力に加えて、付加的な出力を、少なくとも短時間、電気供給ネットへの給電のために提供する（利用可能にする）ための少なくとも１つのエネルギ蓄積装置をウインドパークに備えることが提案される。従って、そのようなエネルギ蓄積装置（これは例えば蓄電装置であり得る）は、付加的な出力を電気供給ネットへ供給することができ、少なくとも、エネルギ蓄積装置はそのために出力を提供することができる。
【００４１】
このため、今や、上記に実施形態に応じ、低減予測出力が付加的に少なくとも１つのエネルギ蓄積装置の利用可能な出力に依存して決定されることが提案される。低減予測出力は、従ってこの場合、このエネルギ蓄積装置が電気供給ネットへ供給するものでありかつ電気供給ネットへ供給される出力が従ってその分だけ低減されることができる出力も考慮することができる。少なくとも１つのエネルギ蓄積装置のそのような出力の考慮は、とりわけ、当該出力が確実に予測されることも可能である（なぜなら、このエネルギ蓄積装置の蓄積内容は当然既知であり、従って電気供給ネットへ出力を供給するその容量即ち許容可能な最大放電電流量も当然既知であるからである）という利点を有する。
【００４２】
更に又は代替的に、この場合も、低減予測出力の決定には、エネルギ蓄積装置が電気供給ネットから受容する（取り込む）ことが可能な出力を一緒に考慮することができる。この出力も、エネルギ蓄積装置にとっては極めて良好に予測可能であり、かくして、提供される低減予測出力は相応に確実な値だけ増大されることができる。
【００４３】
有利には、低減予測出力は、マイナス分単位制御出力（Minutenregelleistung）として利用される。従って、ネット運用者は、関連するウインドパークに対し、当該ウインドパークがその供給出力を低減予測出力のレベルまで短期間低減することを要求することができる。この低減は数秒以内で要求されかつ実行されることが可能である。とりわけ、この低減は、数秒以内に、特に３０秒以内に、有利には２０秒以内に、とりわけ１０秒以内に実現される（行われる）ことが提案される。有利には、この場合、この低減は、１分間又は数分間だけ、とりわけ１０分間未満だけ実現される（行われる）。従って、ウインドパークの出力供給は１分未満の時間内に低減され、低減は有利には数分間だけ持続する。そのようなネット支援は、通常、電気供給ネットに短期間現れる過渡的な現象に対して十分であり得る。重要なことは、提供される低減予測出力のレベルにまでのそのような低減が要求可能であることについて、ネット運用者が信頼できることである。
【００４４】
一実施形態に応じ、制御可能消費装置の１つの、複数の又はすべての制御のために又はその制御の連係（調整）のために、中央消費制御ユニットを設けることが提案される。この中央消費制御ユニットは、有利には、中央パーク制御ユニットに接続されており、中央パーク制御ユニットから全体消費目標値を受け取る。この全体消費目標値は、制御可能消費装置（複数）の消費が全体として望まれる低減分の値を提供する。従って、中央パーク制御ユニットはそのような全体消費目標値を予め設定することができるが、具体的な変換ないし連係（調整）は消費制御ユニットによって行われる。かくして、とりわけ構造は単純化されることが可能になり、中央パーク制御ユニットは、供給出力及び要求される低減出力即ちネット運用者が要求する低減出力の観点から、生成出力の低減を連係（調整）させるだけでよい。中央パーク制御ユニットは、供給出力を低減することができ、更なる出力低減に関する要求がある場合に、この要求を全体消費目標値として、連係（調整）を担う消費制御ユニットへ伝送することができる。有利には、消費制御ユニットは、全体として制御可能な消費電力を求める（計算する）ためにも利用される。この値は、中央パーク制御ユニットの部分であり得る予測決定手段へ提供されることができ、かくして、この予測決定手段ないし中央パーク制御ユニットはこの制御可能消費電力を考慮して低減予測出力を決定しかつ提供することができる。
【００４５】
有利には、予測出力及び付加的に又は代替的に低減予測出力は、予測期間にわたる時間推移として与えられる。このため、複数の時間推移が考慮されかつ記憶されることができる。特に、これに関し、通常は時間に対して変動する相応の風予測及び／又は天候予測も考慮されることができる。
【００４６】
有利には、予測期間は凡そ２４時間である。この予測期間をより短く又はより長く設定することも可能である。有利には、予測期間は、１２時間〜４８時間の範囲であり、更に有利には１８時間〜３６時間の範囲である。とりわけ、予測期間はほぼ一日である。かくして、ネット運用者のために、およそ一日の予測可能性（計画可能性：Planbarkeit）が達成される。同時に、およそ一日のこの予測期間は、風予測及び／又は天候予測ないし天候予想が相当に良好な正確性及び信頼性でなされ得る期間である。
【００４７】
特に、予測期間は４時間時間セグメントに分割され、これらの時間セグメントの各々について、低減予測出力が決定される。これによって、これらの時間セグメントの各々について、低減予測出力を提供することが可能になり、とりわけ（市場で）取引することが可能になる。かくして、ネット運用者は、４時間時間セグメント毎にそのような低減予測出力を予約することができ、以って、そのように予約された時間セグメントにおいて、必要に応じマイナス制御出力を要求する可能性を持つことができる。
【００４８】
有利には、この予測期間は、複数の区間（Intervalle）に、とりわけ凡そ１５分間の区間に、即ち１時間当たり凡そ４つの区間に分割される。そのような複数の区間への時間的分割は、予測期間にわたる条件（複数）の時間的変化を良好に形成する可能性を提供し、同時に、該複数の区間において夫々安定的な値を利用可能にすることができる。これによって、ウインドパークとネット運用者との間でのないしはウインドパークとネットコントロールセンタとの間での大量のデータ伝送を不要にすることを達成することができる。
【００４９】
本発明に応じ、更に、ウインドパークが提案される。このウインドパークは、電気的出力を電気供給ネットへ供給するための給電装置を含む。そのような給電装置は、とりわけインバータとして、風力発電装置（複数）の各々に設けられることができる。更に、変圧器をネット接続点（ここにおいてないしここを介して電気供給ネットへの給電が行われる）に設けることも可能である。
【００５０】
更に、このウインドパークは、所定の将来の予測期間にウインドパークによって供給可能な出力を記述する（表す）予測出力を計算するための計算装置（Ermittlungsvorrichtung）を含む。計算装置は、とりわけ、予測出力の計算のために必要とされる相応の情報が与えられるプロセスコンピュータを含むことができる。
【００５１】
更に、低減予測出力を決定するよう構成された予測決定手段（Prognosebestimmungsmittel）が提案される。ここで、低減予測出力とは、予測期間において、予測期間に供給される出力がその分だけ低減可能な出力（予測期間に供給される出力の可能な低減分の出力）を表す。そのような予測決定手段も、プロセスコンピュータとして構成可能であり、或いは、プロセスコンピュータを含むことができる。予測決定手段は計算装置の部分であることも可能であり、その反対の関係も可能である。計算装置及び／又は予測決定手段は中央パーク制御ユニットの部分をなし得る。
【００５２】
更に、低減予測出力をマイナス制御出力（信号）として提示（オファー）するための提示手段（Anbietmittel）も提案される。提示手段も同様にプロセスコンピュータを含むことが可能であり、また、ネットコントロールセンタとの通信のための通信インタフェースを含むことも可能である。通信インタフェースを介して、ネットコントロールセンタと提示手段との間でデータを交換することができる。特に、通信インタフェースを介して、提示手段は、低減予測出力をレベルに基づいて定める値をネットコントロールセンタへ伝送することができる。通信は、そのような値が例えば１５分毎のような所定の間隔で伝送されるよう構成されると有利である。
【００５３】
提示手段は、この場合、計算装置及び／又は予測決定手段の部分及び／又は中央パーク制御ユニットの部分でもあり得る。
【００５４】
更に、ウインドパークは、要求に応じて電力（出力）を消費することが可能な少なくとも１つの制御可能消費装置を有する。有利には、複数の消費可能制御装置が設けられる。
【００５５】
そのようなウインドパークについて、計算装置は、低減予測出力が予測出力に依存してかつ制御可能消費電力に依存して決定されるように、とりわけ上述したように、構成されることが今や提案される。この場合、制御可能消費電力は、予測期間において、要求に応じて、ウインドパークに存在する制御可能消費装置によって可能な出力の消費の方法ないし態様を記述する（表す）。
【００５６】
例えば送風機又は加熱機のために又は照明のために必要とされる風力発電装置の自己需要（電力）も制御可能な消費とみなすことができる。そのような自己需要は、現代の風力発電装置の場合、例えば１００ｋＷであり得、１００％の利用率を有する。
【００５７】
風力発電装置の運転点に依存して消費（装置）としてスイッチオン可能な１００ｋＷの付加的自己需要は運転点依存的であると想定することができる。これもまた、制御可能消費装置として、スタンバイモードにある送風機、加熱機又はコンバータキャビネットに該当し得る。即ち、これらの消費装置は僅かな部分についてはそれらの本来の目的に応じて使用され、その際、供給されるないし供給可能な出力を低減するための任意的消費装置としては制御されないため、利用率は低減され得るが、それでも９８％であり得る。
【００５８】
給電装置として動作するインバータ（Wechselrichter）ないしコンバータ（Umrichter）も更なる消費装置とみなし得る。これらは、完全には活用されていない（フル稼働されていない）場合、フル稼働の場合よりも相応により少なく消費する。フル稼働とのこの差は制御可能消費としても利用されることができる。このために、複数の風力発電装置の１つ以上のコンバータは例えば相互に補償される（相殺される）無効電力供給によって即ちＳＴＡＴＣＯＭ運転で運転されることができる。かくして、現代の風力発電装置一基につき凡そ１００ｋＷを利用率９０％で利用することができる。この場合、コンバータ及び／又は使用されるラインは夫々制御可能消費装置を構成する。
【００５９】
更なる消費装置として、ロータブレード加熱装置を挙示できるが、これは簡略化してブレード加熱装置と称することも可能であり、上記において一例として既に説明されている。現代の風力発電装置の場合、かくして、風力発電装置毎に、運転点依存的に、凡そ５００ｋＷを９８％の利用率で利用することができる。ウインドパークは、上記の実施形態の少なくとも１つに応じた方法を実行するよう構成されていると有利である。有利には、ウインドパークは、給電装置、計算装置、予測決定手段及び／又は提供手段を含むか、或いはこれらと通信するか又はそのような通信のために構成されている、とりわけ相応の通信インタフェースを有する中央パーク制御ユニットを有する。
【００６０】
有利には、制御可能消費装置の１つ、複数又はすべての制御又はその制御の連係（調整）のために、中央消費制御ユニットが設けられる。この中央消費制御ユニットは、有利には中央パーク制御ユニットに接続され、及び、制御可能消費装置（複数）の消費が全体としてその分だけ低減されることが望まれる値を定める（表す）全体消費目標値を該中央パーク制御ユニットから受け取るよう構成される。とりわけ、中央消費制御ユニットは、そのために、中央パーク制御ユニットと通信するための通信手段を有する。代替的に、中央消費制御ユニットは中央パーク制御ユニットの部分を構成する。
【００６１】
一形態に応じ、複数の消費装置の少なくとも１つは、電力消費のためにウインドパーク内の制御装置（Steuereinrichtung）によってスイッチオンされるようにするために、外部から（オンオフ）切替可能な消費装置として構成される。そのような消費装置は、簡略化して、切替可能消費装置と称することができる。追加的に又は代替的に、複数の消費装置の少なくとも１つは、出力のレベルが調節可能な電力消費のためにウインドパーク内の制御装置によって制御されるようにするために、その出力受容について外部から制御可能な消費装置として構成される。そのような消費装置は、簡略化して、レベル制御可能消費装置と称することができる。この場合、消費装置が外部から切替え又は制御可能であるということは、消費装置がそれ自身によって又は当該消費装置が組み込まれている装置によって切替え又は制御されるだけではなく（されるのではなく）、当該消費装置がウインドパーク内の装置によって基本的に外部制御されかつその限りにおいて制御器（Steuerung）が本来の適用領域の枠外で切替えないし制御されるようなものとして理解されることができる。
【００６２】
制御装置（Steuereinrichtung）は中央パーク制御ユニット又は（中央）消費制御ユニットであり得る。かくして、例えば中央パーク制御ユニットは、そのような消費装置のこの切替え及び／又は制御を一緒に実行する（引き受ける）ことができる。
【００６３】
ウインドパークによって供給される出力の出力低減を正確に調節するために、（オンオフ）切替可能消費装置、レベル制御可能消費装置及び風力発電装置はその生成出力に関し相応に制御されることができる。
【００６４】
簡単な一例を挙げると、ウインドパークが１００ｋＷの出力を生成かつ供給し、その場合に、２００ｋＷだけその供給出力を低減しなければならないとすると、そのために、このウインドパークは１５０ｋＷの切替可能消費装置をスイッチオンしかつ生成出力を５０ｋＷだけ低減することができる。この場合、供給出力は＋１００ｋＷから−１００ｋＷに低減されるが、その際、ウインドパークは５０ｋＷ生成しかつ切替可能消費装置は１５０ｋＷ消費する。
【００６５】
有利には、ウインドパークは、当該ウインドパークの複数の風力発電装置によって生成される風出力に加えて付加的な出力を、少なくとも短期間、電気供給ネットへの給電のために提供するために、少なくとも１つのエネルギ蓄積装置を有する。そのようなエネルギ蓄積装置は１つの風力発電装置に含まれることも可能であり、或いは、ウインドパークの複数の又はすべての風力発電装置に夫々１つのそのようなエネルギ蓄積装置が設けられることも可能である。この場合、少なくとも１つのエネルギ蓄積装置は付加的出力をネット運用者による要求に応じて低減するよう構成されることが提案される。更に、少なくとも１つのエネルギ蓄積装置は、その蓄積（蓄電）状態に関する情報及び／又は予測期間に低減可能な出力に関する予測（情報）を提供するよう構成される。とりわけ、少なくとも１つのエネルギ蓄積装置は、そのような情報を中央パーク制御ユニットへ伝送するよう構成される。
【００６６】
従って、少なくとも１つのエネルギ蓄積装置は付加的出力を供給することができるだけではなく、付加的出力はネット運用者による要求に応じて低減されることも可能であり、そのため、このようにして、エネルギ蓄積装置はマイナス制御出力を、とりわけマイナス分単位制御出力を提供することができる。このために、エネルギ蓄積装置は、更に、その蓄積状態及びその出力低減能力に関する相応の情報を提供することができる。かくして、低減予測出力を求める（計算する）ために、このエネルギ蓄積装置も一緒に取り入れることが可能になる。
【００６７】
そのために、エネルギ蓄積装置は、ウインドパーク内の関連する装置又は手段と通信するために、とりわけ相応の通信装置を有する。とりわけ、更に関連する情報（信号）を伝送すること及び更に処理することができる中央パーク制御ユニットとのそのような通信を実行することが提案される。ネット運用者による低減要求があった場合、この要求はとりわけネットコントロールセンタから中央パーク制御ユニットへ伝送されることができるが、中央パーク制御ユニットは、次いで、相応の低減信号をエネルギ蓄積装置へ伝送することができる。
【００６８】
ウインドパークの制御可能消費装置（複数）は同様に中央（集中）制御可能であると、即ちとりわけ中央パーク制御ユニットを介して及び／又は中央消費制御ユニットを介して及び／又は中央データネットを介して制御可能であると有利である。
【００６９】
本発明に応じ、請求項１７に記載の風力発電装置も提案される。この風力発電装置は、ウインドパークの各実施形態について既に説明したのと実質的に同様にないし技術的に適合化されて動作する。
【００７０】
風力発電装置は、少なくとも１つの実施形態に応じて上述したウインドパークにおいて使用されるよう及び／又は少なくとも１つの実施形態に応じて説明した方法を実行するようないし当該方法において一緒に動作するよう構成されると有利である。ウインドパークにおける使用及び既述の方法における使用の何れもが意味することは、とりわけ、風力発電装置がその運転に関する及びその消費装置に関する情報を提供すること、及び／又は、風力発電装置及び／又はその制御可能消費装置が生成されるべき出力ないしアウトプットされるべき出力の調節のために制御可能であることないし場合によっては存在し得る切替可能消費装置が、とりわけ風力発電装置ないし消費装置の一部ではない外部の制御ユニットによって、オンオフ切替可能であることである。
【００７１】
ここに、本発明の好ましい実施の形態を示す。
（形態１）上記第１基本構成参照。
（形態２）形態１の方法において、供給出力は、ネット支援のための要求に応じて予測期間に低減予測出力のレベルまでの値だけ低減されることが好ましい。
（形態３）形態１又は２の方法において、制御可能消費装置の１つ又は複数がスイッチオンされ及び／又はそれらによる電力受容が制御されることによって、供給出力は低減され、その際、まだ低減されていない供給出力が低減予測出力よりもより小さくかつ要求された低減出力よりもより小さい場合、付加的に、電力が電気供給ネットから取り出されかつ消費されることが好ましい。
（形態４）形態１〜３の何れかの方法において、低減予測出力は、付加的に少なくとも、
・予測出力若しくは予め設定可能な品質係数が乗ぜられたその値又は予測出力の最小値と、
・制御可能消費電力と
から構成されること、
但し、制御可能消費電力を決定するために、各制御可能消費装置の予測利用率が夫々考慮されることが好ましい。
（形態５）形態１〜４の何れかの方法において、制御可能消費電力は、複数の部分電力から構成されること、但し、
・各部分電力は夫々１つの制御可能消費装置に割り当てらており、及び、
・これらの部分電力の１つ、複数又は全ては、夫々、
・各自の制御可能消費装置の最大電力に、
・各自の制御可能消費装置の予測利用率を乗じたもの
から求められることが好ましい。
（形態６）形態１〜５の何れかの方法において、制御可能消費装置は、ウインドパークの中央パーク制御ユニットによって制御されること、及び／又は、
中央パーク制御ユニットは、電気供給ネットの制御のために設けられているネットコントロールセンタから、ネット支援のための要求としての要求信号を受け取り、及び、この要求に依存して、供給出力を低減し、場合によっては制御可能消費装置を相応に制御することが好ましい。
（形態７）形態１〜６の何れかの方法において、
・ウインドパークの複数の風力発電装置ないし風力発電装置によって生成される風出力に加えて、少なくとも短時間、付加的な出力を電気供給ネットへの給電のために提供するために、少なくとも１つのエネルギ蓄積装置がウインドパークないし風力発電装置に設けられていること、
・低減予測出力が付加的に少なくとも１つのエネルギ蓄積装置の利用可能な出力に依存して決定されることが好ましい。
（形態８）形態１〜７の何れかの方法において、低減予測出力は、マイナス分単位制御出力として利用されることが好ましい。
（形態９）形態１〜８の何れかの方法において、制御可能消費装置の１つの、複数の又はすべての制御のために又はその制御の連係のために、中央消費制御ユニットが設けられており、
中央消費制御ユニットは、中央パーク制御ユニットに接続されており、及び、制御可能消費装置の消費が全体として望まれる低減分の値を表す全体消費目標値を中央パーク制御ユニットから受け取ることが好ましい。
（形態１０）形態１〜９の何れかの方法において、予測出力及び／又は低減予測出力は、予測期間にわたる時間推移として与えられることが好ましい。
（形態１１）形態１〜１０の何れかの方法において、
・予測期間は、１２〜４８時間又は１８〜３６時間又は凡そ２４時間であること、及び／又は、
・予測期間は、４時間時間セグメントに分割されていること、及び／又は、
・予測期間は、１５分区間に分割されていることが好ましい。
（形態１２）上記第２基本構成参照。
（形態１３）形態１２のウインドパークにおいて、
該ウインドパークは形態１〜１１の何れかの方法を実行するよう構成されており、該ウインドパークは中央パーク制御ユニットを有しかつ該中央パーク制御ユニットは当該方法を全体として又は部分的に実行することが好ましい。
（形態１４）形態１２又は１３のウインドパークにおいて、
制御可能消費装置の１つ、複数又はすべての制御又はその制御の連係のために、中央消費制御ユニットが設けられていること、
中央消費制御ユニットは、中央パーク制御ユニットに接続され、及び、制御可能消費装置の消費が全体としてその分だけ低減されることが望まれる値を表す全体消費目標値を中央パーク制御ユニットから受け取るよう構成されることが好ましい。
（形態１５）形態１２〜１４の何れかのウインドパークにおいて、
・消費装置の少なくとも１つは、電力消費のためにウインドパーク内の制御装置によってスイッチオンされるよう、外部からオンオフ切替可能な消費装置として構成されること、及び／又は、
・消費装置の少なくとも１つは、出力のレベルが調節可能な出力消費のためにウインドパーク内の制御装置によって制御されるよう、その出力受容について外部から制御可能な消費装置として構成されること、
但し、制御装置は、中央パーク制御ユニットとして及び／又は消費制御ユニットとして構成されることが好ましい。
（形態１６）形態１２〜１５の何れかのウインドパークにおいて、
・ウインドパークの複数の風力発電装置によって生成される風出力に加えて、少なくとも短期間、付加的な出力を電気供給ネットへの給電のために提供するために、少なくとも１つのエネルギ蓄積装置が当該ウインドパークに設けられていること、
但し、少なくとも１つのエネルギ蓄積装置は、
・付加的出力をネット運用者による要求に応じて低減するよう、及び、
・その蓄積状態に関する情報及び／又は予測期間に低減可能な出力に関する予測を提供するよう、構成されることが好ましい。
（形態１７）上記第３基本構成参照。
本発明は、以下において実施形態を用いて添付の図面を参照して例示的に詳細に説明される。
なお、特許請求の範囲に付記した図面参照符号は専ら発明の理解を助けるためのものに過ぎず、本発明を図示の態様に限定することは意図していない。
【図面の簡単な説明】
【００７２】
【図１】風力発電装置の一例の斜視図。
【図２】本発明のウインドパークの一例の斜視図。
【図３】提供可能な低減予測出力を決定するための構造の一例。
【図４】マイナス制御出力の提供のためにウインドパークを制御するための構造の一例。
【図５】利用可能な意思提供可能なあり得る供給出力を説明するための出力−時間線図の一例。
【図６】図５に類似するが、これにバリエーションを加えた出力−時間線図の一例。
【図７】図５及び図６に対し更なる説明のためのバリエーションを加えた出力−時間線図の一例。
【実施例】
【００７３】
図１は、タワー１０２とナセル１０４を有する風力発電装置１００の一例を示す。ナセル１０４には、３つのロータブレード１０８とスピナ１１０を備えた空気力学的ロータ１０６が配されている。ロータ１０６は、運転時、風によって回転運動し、それによって、ナセル１０４内の発電機を駆動する。
【００７４】
図２は、例示的に３つの風力発電装置１００（これらは同じものでも異なるものでもあり得る）を備えたウインドパーク１１２の一例を示す。なお、これらの３つの風力発電装置１００は、ウインドパーク１１２の原理的に任意の数の風力発電装置１００の代表として示されたものである。風力発電装置１００は、その出力即ちとりわけ生成電流を電気的パークネット１１４を介して提供（供給）する。その際、個別風力発電装置（複数）１００の夫々の生成電流ないし出力は加え合わされる。大抵は、変圧器１１６が設けられている。変圧器１１６は、ウインドパークの電圧を昇圧し、次いで、一般的にはＰＣＣとも称される給電点１１８において、電気供給ネット１２０へ給電する。図２は、ウインドパーク１１２の単純化した一例に過ぎず、例えば３つの風力発電装置のみを示しているが、（１つの）ウインドパークには４つ以上の風力発電装置が含まれていることが多い。更に、例えば、パークネット１１４は、図示のものとは異なるように構成されること、例えば、これも単なる他の一例に過ぎないが、各風力発電装置１００の出力部に夫々１つの変圧器が設けられることも可能である。
【００７５】
図２のウインドパーク１１２は、複数の給電装置２３０によって電気供給ネット１２０へ給電を行う。給電装置２３０は、この場合、風力発電装置１００の一部分を構成する。各給電装置２３０は、例えば、相応の３相電流を生成する周波数変換器（周波数インバータ）とすることができる。この電流は、次いで、変圧器１１６を介して電気供給ネット１２０へ供給される。ウインドパーク１１２の全体制御のために、中央パーク制御ユニット２３２が設けられている。更に、予測出力を計算するための計算装置２３４設けられており、該装置は予測決定手段２３６に接続（結合）されている。予測決定手段は低減予測出力を決定し（求め）、この出力は提供手段２３８を介してマイナス制御出力として提供されることができる。低減予測出力及びマイナス制御出力の両概念は同義に使用することも可能である。計算手段２３４、予測決定手段２３６及び提供手段２３８は１つのユニットにまとめられることも可能であり、これについては図２に示されている。
【００７６】
予測出力の計算のための、更には低減予測出力の決定のための基礎として、風力発電装置（複数）１００の情報が使用されるが、これらの情報はデータネット２４０を介して、具体的にはとりわけ計算装置２３４へ、更には（これを介して）予測決定手段２３６へ、伝送される。この場合に計算ないし決定されたデータは、中央パーク制御ユニット２３２へ、例えば提供手段２３８から伝送されることができる。計算装置２３４及び／又は予測決定手段２３６及び／又は提供手段２３８は、中央パーク制御ユニット２３２の一部分をなすことも可能である。
【００７７】
特に、決定された低減予測出力は、次いで、中央パーク制御ユニット２３２からネットコントロールセンタ２４２へ提供されることができる。ネットコントロールセンタ２４２は、次いで、相応のネット支援が必要であるように見える事象が生じた場合にも、マイナス制御出力を要求することができる。このことは、同様に、中央パーク制御ユニット２３２との通信を介して行うことができる。中央パーク制御ユニット２３２は、これに関し、風力発電装置（複数）１００を相応に制御できるようにないしは相応の目標値を予め設定できるように構成されている。このため、中央パーク制御ユニット２３２はデータネット２４０も利用することができる。マイナス制御出力はウインドパーク１１２内の消費装置（複数）の相応の制御によっても取り扱われることが、付加的に考慮される。そのような消費装置は、例えば風力発電装置１００の送風機のように、各風力発電装置１００の一部分であり得るが、それ自体は既知であり、従って図２には特には示されていない。尤も、外部の消費装置も考慮されるが、これについては図２に外部消費装置２４４として示されている。出力（電力）の受容（取り込み）のための及びそれによるマイナス制御出力の提供のための消費装置の制御及びとりわけそれらの連係（調整）運転は、中央消費制御ユニット２４６によって行われる。この中央消費制御ユニット２４６は、そのために、中央パーク制御ユニット２３２を介して制御されることも可能であり、また、この中央消費制御ユニット２４６は、外部消費装置２４４を含む消費装置（複数）の制御をデータネット２４０を介して行うことができる。
【００７８】
図３は、図示の構造（ブロック図）において、特に図２の予測決定手段２３６を示すが、この予測決定手段２３６は図３では予測決定ブロック３３６として示されている。予測決定ブロック３３６は、天候予測についての入力値（入力変数）として、とりわけ予測温度値ないし予測温度推移を受け取るが、これはＴＷ（ｔ）として予測決定ブロック３３６に入力される。温度は、例えば、風力発電装置の期待されるべき運転に影響を及ぼす。最も不都合な場合では、過度に低温により、風力発電装置はスイッチオフされ得る。それ以外の場合には、風力発電装置は（出力）抑制的に運転されるか又は加熱装置が運転される。
【００７９】
更なる値としては、天候予測の一部であり得る風予測（情報）に依存して、予測風出力ないし予測風出力の推移が入力されるが、これは図３にはＰＷ，Ｐ（ｔ）として示されている。
【００８０】
更に、予測不確実性ｐＰ（ｔ）が入力される。この予測不確実性は、とりわけ天候予測の質及び境界条件に依存し、確率分布として提供されることができる。これはしばしば３％の値となる。このことは、予測出力の３％が１５分おきにマイナス制御出力として提供されるとすれば、これは１５分値の９９．９８％の確率で達成可能であることを意味する。３％の値は、今日では普通の値であり得るが、特に風の予測可能性が改善される場合にはとりわけ、増大されることが可能であり、そのため、予測不確実性は図３では入力値とされている。更に、ウインドパーク内の各消費装置について、それらを特徴付ける消費電力ＰＬ，ｎが入力される。この特徴出力ＰＬ，ｎは、とりわけその（対応装置の）公称（定格）出力及び／又はその最大出力とすることができる。この値は、特徴値であり、基本的には固定値（一定値）である。図３は、このために、１つの入力値ＰＬ，ｎを示しているが、これは各消費装置の相応の出力を単に代表しているに過ぎない。これについては、添え字ｎで示されている。従って、考慮される消費装置の各々についてそのような値が入力される。
【００８１】
更に、消費装置の各々について利用率ＶＬ，ｎが相対値として、とりわけパーセント値として入力される。この値は、各消費装置について、当該消費装置が利用可能であるか否か及びどのレベルで利用可能であるかについて定める（規定する）。この値は０％〜１００％になり得るが、０％は消費装置が利用可能でないことを示し、これに対し、１００％は消費装置がその特徴出力ＰＬ，ｎのフルレベルで利用可能であることを示す。
【００８２】
そして、これらの値から、予測決定ブロック３３６において、最大に低減制御可能な出力（最大低減制御可能出力）が、とりわけこの最大低減制御可能出力が９９．９８％の確実性で提供可能であるという意味で、決定されることができる。その計算は、夫々、４時間の期間又は時間ブロックについて行われる。そして、その結果は、時間に依存する（時間の関数としての）最大低減制御可能出力Ｐｎｅｇ．ｍｉｎ（ｔ）であるが、これは、低減予測出力に相当するか、ないしは、低減予測出力と同義に表示されることができる。最大低減制御可能出力は、ここでは、この値にまで（出力）低減（抑制）制御可能あることを意味する。この最大低減制御可能出力Ｐｎｅｇ．ｍｉｎ（ｔ）が提供されるネット運用者は、従ってこの場合、この値にまで低減制御することないし低減制御を要求することができる。確実性の考慮に基づくと及びとりわけ予測不確実性を考慮すると、これは、提供されることが可能な最小の出力である。従って、例えば予測がより良好である場合又はより低い確実性が容認される場合、一層多くの制御出力が提供され得るであろう。
【００８３】
この最大低減制御可能出力（値）Ｐｎｅｇ．ｍｉｎ（ｔ）は、次いで、提示ブロック３３８へ供給され、該提供ブロック３３８は、次いで、この制御出力（情報）をネット運用者に提示することができ、ないしはネット支援のために取引することができる。その限りにおいて、提示ブロック３３８は、これは取引ブロックと称することも可能であろうが、マイナス制御出力の取引に関する。
【００８４】
図４は、そのようなマイナス制御出力が実際に要求される場合における、要求されたマイナス制御出力が連係（相互調整）的に実現される様子を説明する。このために、連係ブロック４５０が設けられる。このブロックは、入力値として、ウインドパークが全体として生成しかつ供給する出力（電力）の大きさ（量）を定める（示す）出力値ＰＭと、ウインドパークが低減制御することが望まれる分の出力の大きさ（量）即ちウインドパークがその分だけより少なく供給することが望まれる出力の大きさ（量）を定める（示す）値ＰＡとを受け取る。両者は、何れも、ウインドパーク全体に関する値である。
【００８５】
そして、連係ブロック４５０は、それらの値から、風力発電装置の各々について、当該風力発電装置によって生成されるべきかつ供給されるべき出力ＰＷ，ｎと、各風力発電装置における消費によって消費されるべき出力ＰＬ，ｎとを求める（計算する）。この場合、連係ブロック４５０は、生成出力と消費電力との間の最適な組み合わせを可及的に考慮するであろう。これらの結果即ち各風力発電装置によって生成されるべきかつ供給されるべき出力ＰＷ，ｎ及び各風力発電装置によって消費されるべき出力ＰＬ，ｎは、次いで、夫々対応する風力発電装置（複数）４００へ伝送される。なお、これについては、代表して、１つの風力発電装置ブロック４００のみが示されている。尤も、具体例では、連係ブロック４５０には２つの値が入力され、該ブロックは２×ｎ個の値を再び出力する。
【００８６】
図５は、ウインドパークによって生成可能かつ供給可能な出力ＰＷＰを時間に依存して（時間の関数として）示す出力−時間線図の一例を示す。この線図は、その限りにおいて、考察されるウインドパーク全体についての出力ＰＷＰを示す。縦軸のマイナス側（座標０の紙面下側）には、更に、利用可能消費電力ＰＶも示されているが、これについては図６及び図７の修正された線図においても差し当たり当て嵌まる。図５の線図は、同じことが図６及び図７の線図にも当て嵌まるが、４時間にわたる、従ってマイナスの制御出力が基本的に提供され得るであろう期間にわたる（１つの）時間セグメントを示している。尤も、原理的には、より長い期間について、例えば２４時間について、予測更には予測出力及び低減予測出力が提供されることができる。尤も、この場合、そのような予測期間は、複数の４時間セグメントに分割されると好ましいであろう。２４時間の場合は、この領域は、夫々４時間ずつの６つの領域に分割されるであろう。
【００８７】
図５の線図は、点線のグラフによって、予測出力ＰＷ，Ｐの可能性（可能な推移）を示している。この予測出力ＰＷ，Ｐは、天候予測に、とりわけ風予測に依存する。時点ｔ１では、予測出力ＰＷ，Ｐは最小値をとる。この値はＰＷ，Ｐ，ｍｉｎとして示されている。取引可能なマイナス制御出力の計算は、予測出力のこの最小値を起点（基準）として行われる。そのような取引可能なマイナス制御出力ＰｎＲは、例えば最小予測出力ＰＷ，Ｐ，ｍｉｎの３％として見積もられる。取引可能なマイナス制御出力は、従って、低減予測出力にも相当する。説明のために、図５では、給電のために実際に利用可能な出力ＰＭは実線で表されている。取引可能なマイナス制御出力ＰｎＲは、図では実際に利用可能な出力ＰＭから破線で示されている低減されて供給される出力（低減供給出力）ＰＭｒへのシフト即ち低下として表されている。これに応じて、実際に利用可能な出力（実際利用可能出力）ＰＭからネット支援が要求された場合の低減供給出力ＰＭｒまでの距離は、取引可能なマイナス制御出力ＰｎＲに相当する。図示の例では、この距離は最小予測出力ＰＷ，Ｐ，ｍｉｎの３％を有するものとされているが、より良好な見易さのみを目的として、本図において及び後続の図においても拡大されて示されている。
【００８８】
図５は、説明のために、実際利用可能出力ＰＭが、時点ｔ２において、取引可能なマイナス制御出力ＰｎＲの値を辛うじて有する程にまで大きく減少するという特殊例を示している。具体的には、このマイナス制御出力ＰｎＲは、実際利用可能出力ＰＭが何れかの１５分区間においてより深く減少することを９９．９８％の確実性で排除するために、最小予測出力ＰＷ，Ｐ，ｍｉｎの上記の３％として選択されている。従って、通常は、実際利用可能出力ＰＭのそこまでの減少は、年間で、考察される１５分区間の０．０２％に過ぎないであろうし、低減供給（可能）出力ＰＭｒも、ゼロのラインの近くまで来るのは１５分（区間）の０．０２％のみであろう。
【００８９】
場合によっては、利用可能出力ＰＭのこの最小値から最小予測出力ＰＷ，Ｐ，ｍｉｎまでの距離ないし差を予測エラーＦＰとみなすことができる。大きな予測エラーが生じ得るので、取引可能なマイナス制御出力ＰｎＲはそれに応じて保守的に求められる（計算される）。このため、図５に示されているように、実際利用可能出力ＰＭがそのように予測外に大きく減少する場合であっても、低減出力ＰＭｒは、それにも拘らず、マイナスにはならない。これが、３％の上述の保守的ファクタがしばしば採用される理由である。
【００９０】
説明のために、供給されるべき仮想の（見かけの）出力ＰＭｆが示されている。この仮想供給出力ＰＭｆは、最小予測出力ＰＷ，Ｐ，ｍｉｎの全体の値だけ、実際利用可能出力ＰＭをシフトないし低下したものである。これは、取引可能なマイナス制御出力と同じ状況について、直接、最小予測出力ＰＷ，Ｐ，ｍｉｎが、即ちその３％ではなく、１００％が使用されとした場合を説明している。この場合、従って、そのように大きな制御出力が要求されるような事象が生じた場合、低減供給（可能）出力は、仮想供給出力ＰＭｆのこの値を取るであろう。ここで、低減されて供給されるべき出力はマイナスになるであろうこと、従って、供給出力が低減可能であるのは値ゼロまでであるため、供給出力の低減によっては実現できないであろうことは容易に認識できる。
【００９１】
これに応じて、このマイナス出力ないし出力のマイナス成分は取引可能ではなく、この値は、説明のために、時点ｔ２における仮想供給出力ＰＭｆについて、ゼロ軸に対する距離として記載されている。この取引不能なマイナス制御出力はＰｎＲｎとして記載されている。
【００９２】
その解決策として、ウインドパーク内の消費装置による消費電力をも考慮することが、今や本発明に応じ認識されかつ提案される。確実に利用可能であるそのような消費電力ＰＬＳが、それ以外については図５に対応する図６に記載されている。この確実に利用可能な消費電力（確実利用可能負荷）ＰＬＳは、図６では単純化のために、水平な線として記載されている。尤も、実際には、確実利用可能消費電力も、既に説明した理由から、変動し得るものである。尤も、この変動は、確実利用可能消費電力ＰＬＳの場合、予測出力ＰＷ，Ｐと比べると、小さいであろう。その代わりに、この例では、確実利用可能消費電力ＰＬＳについて、一定の値、即ち、仮に変動が存在するとした場合に、考察される４時間時間セグメントにおけるその大きさの最小値、が想定されている。
【００９３】
図７は、この確実利用可能消費電力が取引可能なマイナス制御出力を改善する、即ちその大きさに応じて増大することができる様子を示す。このことは、低減供給可能瞬時出力ＰＭｒが確実利用可能消費電力ＰＬＳのこの値だけシフト可能であること、即ち結果として、変化された低減供給可能出力ＰＭｒ’がちょうど確実利用可能消費電力ＰＬＳに接触するようシフト可能であるものとして表されている。かくして、図３の構造図（ブロック図）のマイナス制御出力Ｐｎｅｇ，ｍｉｎ（ｔ）に対応する明確に増大された取引可能マイナス制御出力ＰｎＲ’が得られる。このことは図７に記載されているが、時間依存性（時間に対する変化ないし推移）については記載されていない。時間依存性は、とりわけ、この値が異なる４時間時間セグメントに対し異なるように見えることとして理解することができる。尤も、図７は、１つの４時間（時間）セグメントのみを示しており、その間、この取引可能マイナス制御出力Ｐｎｅｇ，ｍｉｎは一定値として設定されている。
【００９４】
かくして、その結果、取引不能なマイナス制御出力ＰｎＲｎ’はその大きさが図５の場合よりも小さくなる。
【００９５】
予測エラーによって、実際の給電は予測された給電よりもより小さくなり得ることが判明した。同じことが、利用可能なマイナス制御出力にも当て嵌まる。なぜなら、この出力は給電に依存するからである。
【００９６】
提案に係る方策は、そのようなウインドパークが制御出力の提供に適合化するために、とりわけ重要である。
【００９７】
制御出力の提供のための、ウインドパークを含む発電所の事前資格審査（Praequalifizierung）のために、利用可能な、従って自発的に低減（抑制）制御可能な出力が証明される必要がある。このために、しばしば、９９％又は更には９９．９８％の確実性が要求される。従ってこのためには、提示される（angeboten）制御出力が供給（geliefert）可能であることも、９９％ないし９９．９８％の信頼性で証明されることが通常は必要とされる。そのような制御出力は提示可能かつ補償（対価支払い）可能であり、補償（対価支払い）は提示される制御出力に関して決定される。従って、要求される制御出力ではなく、提示される制御出力が重要である。
【００９８】
今日の予測の質によって、予測供給出力の凡そ３％のみが制御出力として提示可能であるが、このことは予測エラーの蓋然性（確率）を考慮することによって得られる。
【００９９】
風力発電装置又はウインドパークの内部消費装置の運転によって、提示され得る制御可能出力の大きさが明確に増大されることができることが判明した。
【０１００】
１つの例では、制御可能消費装置による７６６ｋＷが付加的に考慮可能であれば、−１２６ｋＷ（これは公称（定格）出力の３％（−４，２００ｋＷ×０．０３）として求められる）の代わりに、−８９２ｋＷ（−４，２００ｋＷ×０．０３−７６６ｋＷ）が提示可能であり、従って売却可能である。
【０１０１】
このために、第１の技術的装置が、天候、風予測及び負荷を考慮して、対応する時間帯（複数）（Zeitslots）において最小限確保される制御出力を求めることが提案される。
【０１０２】
更なる技術的装置が、制御出力要求を実現するために、ウインドパーク内の個別風力発電装置及び消費装置を制御する。ディスクリートの（個別の）消費装置（複数）と制御可能給電の組み合わせの方法によって、要求される負荷推移（Lastverlauf）に追従すること、即ち実現することが可能になる。
以下に本発明の可能な態様を付記する。
［付記１］電気的出力を電気供給ネットへ供給するための、複数の風力発電装置を有するウインドパーク又は風力発電装置の運転方法。該方法は、以下のステップ：
・電気的出力を電気供給ネットへ供給すること、
・所定の将来の予測期間にウインドパーク又は風力発電装置によって供給される出力を表す予測出力を求めること、
・予測期間に供給される出力がその分だけ低減可能な出力を予測期間について表す低減予測出力を決定すること、及び、
・低減予測出力をマイナス制御出力として提示すること、
を含む。
該方法において、
・低減予測出力は、
・予測出力に依存して、及び
・制御可能な消費電力に依存して、
決定されること、
但し、制御可能な消費電力は、予測期間においてウインドパークにないし風力発電装置に存在する制御可能な消費装置によって、要求に応じて、消費可能な電力を表すこと
を特徴とする。
［付記２］上記の方法において、供給出力は、ネット支援のための要求に応じて予測期間に低減予測出力のレベルまでの値だけ低減されることを特徴とする。
［付記３］上記の方法において、制御可能消費装置の１つ又は複数がスイッチオンされ及び／又はそれらによる電力受容が制御されることによって、供給出力は低減され、その際、まだ低減されていない供給出力が低減予測出力よりもより小さくかつ要求された低減出力よりもより小さい場合、付加的に、電力が電気供給ネットから取り出されかつ消費されることを特徴とする。
［付記４］上記の方法において、低減予測出力は、付加的に少なくとも、
・予測出力又は予め設定可能な品質係数が乗ぜられたその値、とりわけその最小値と、
・制御可能消費出力と
から構成されること、
但し、有利には、制御可能消費電力を決定するために、各制御可能消費装置の予測利用率が夫々考慮されること
を特徴とする。
［付記５］上記の方法において、制御可能消費電力は、複数の部分電力から構成されること、但し、
・各部分電力は夫々１つの制御可能消費装置に割り当てらており、及び、
・これらの部分電力の１つ、複数又は全ては、夫々、
・各自の制御可能消費装置の最大電力に、
・各自の制御可能消費装置の予測利用率を乗じたもの
から求められること
を特徴とする。
［付記６］上記の方法において、制御可能消費装置は、ウインドパークの中央パーク制御ユニットによって制御されること、及び／又は、
中央パーク制御ユニットは、電気供給ネットの制御のために設けられているネットコントロールセンタから、ネット支援のための要求としての要求信号を受け取り、及び、この要求に依存して、供給出力を低減し、場合によっては制御可能消費装置を相応に制御すること
を特徴とする。
［付記７］上記の方法において、
・ウインドパークの複数の風力発電装置ないし風力発電装置によって生成される風出力に加えて、少なくとも短時間、付加的な出力を電気供給ネットへの給電のために提供するために、少なくとも１つのエネルギ蓄積装置がウインドパークないし風力発電装置に設けられていること、
・低減予測出力が付加的に少なくとも１つのエネルギ蓄積装置の利用可能な出力に依存して決定されること
を特徴とする。
［付記８］上記の方法において、低減予測出力は、マイナス分単位制御出力として利用されることを特徴とする。
［付記９］上記の方法において、制御可能消費装置の１つの、複数の又はすべての制御のために又はその制御の連係のために、中央消費制御ユニットが設けられており、
中央消費制御ユニットは、有利には、中央パーク制御ユニットに接続されており、及び、制御可能消費装置の消費が全体として望まれる低減分の値を表す全体消費目標値を中央パーク制御ユニットから受け取ること
を特徴とする。
［付記１０］上記の方法において、予測出力及び／又は低減予測出力は、予測期間にわたる時間推移として与えられることを特徴とする。
［付記１１］上記の方法において、
・予測期間は、１２〜４８時間、有利には１８〜３６時間、とりわけ凡そ２４時間であること、及び／又は、
・予測期間は、４時間時間セグメントに分割されていること、及び／又は、
・予測期間は、１５分区間に分割されていること
を特徴とする。
［付記１２］電気供給ネットへ電気的出力を供給するための、複数の風力発電装置を有するウインドパーク。該ウインドパークは、
・電気供給ネットへ電気的出力を供給するための給電装置、
・所定の将来の予測期間にウインドパークによって供給可能な出力を表す予測出力を計算するための計算装置、
・予測期間に供給される出力がその分だけ低減可能な出力を予測期間について表す低減予測出力を決定するための予測決定手段、
・低減予測出力をマイナス制御出力として提示するための提示手段、及び、
・要求に応じて電力を消費することが可能な少なくとも１つの制御可能消費装置
を含む。但し、
・計算装置は、
・低減予測出力が予測出力に依存して、かつ、
・制御可能消費電力に依存して決定されるよう、構成されること、但し、制御可能消費電力は、予測期間において、ウインドパークに存在する少なくとも１つの制御可能消費装置によって、要求に応じて、消費可能な電力を表すことを特徴とする。
［付記１３］上記のウインドパークにおいて、該ウインドパークは上記の方法を実行するよう構成されており、とりわけ、該ウインドパークは中央パーク制御ユニットを有しかつ該中央パーク制御ユニットは当該方法を全体として又は部分的に実行すること
を特徴とする。
［付記１４］上記のウインドパークにおいて、制御可能消費装置の１つ、複数又はすべての制御又はその制御の連係のために、中央消費制御ユニットが設けられていること、
中央消費制御ユニットは、有利には、中央パーク制御ユニットに接続され、及び、制御可能消費装置の消費が全体としてその分だけ低減されることが望まれる表す全体消費目標値を中央パーク制御ユニットから受け取るよう構成されること
を特徴とする。
［付記１５］上記のウインドパークにおいて、
・消費装置の少なくとも１つは、電力消費のためにウインドパーク内の制御装置によってスイッチオンされるよう、外部からオンオフ切替可能な消費装置として構成されること、及び／又は、
・消費装置の少なくとも１つは、出力のレベルが調節可能な出力消費のためにウインドパーク内の制御装置によって制御されるよう、その出力受容について外部から制御可能な消費装置として構成されること、
但し、制御装置は、有利には、中央パーク制御ユニットととして及び／又は消費制御ユニットとして構成されること
を特徴とする。
［付記１６］上記のウインドパークにおいて、
・ウインドパークの複数の風力発電装置によって生成される風出力に加えて、少なくとも短期間、付加的な出力を電気供給ネットへの給電のために提供するために、少なくとも１つのエネルギ蓄積装置が当該ウインドパークに設けられていること、
但し、少なくとも１つのエネルギ蓄積装置は、
・付加的出力をネット運用者による要求に応じて低減するよう、及び、
・その蓄積状態に関する情報及び／又は予測期間に低減可能な出力に関する予測を提供するよう、とりわけ、中央パーク制御ユニットへ伝送するよう、
構成されること
を特徴とする。
［付記１７］電気供給ネットへ電気的出力を供給するための風力発電装置。該風力発電装置は、
・電気供給ネットへ電気的出力を供給するための給電装置、
・所定の将来の予測期間に当該風力発電装置によって供給可能な出力を表す予測出力を計算するための計算装置、
・予測期間に供給される出力がその分だけ低減可能な出力を予測期間について表す低減予測出力を決定するための予測決定手段、
・低減予測出力をマイナス制御出力として提示するための提示手段、及び、
・要求に応じて出力を消費することが可能な少なくとも１つの制御可能消費装置
を含む。但し、
・計算装置は、
・低減予測出力が予測出力に依存して、かつ、
・制御可能消費電力に依存して決定されるよう、構成されること、但し、制御可能消費出力は、予測期間において、当該風力発電装置に存在する少なくとも１つの制御可能消費装置によって、要求に応じて、消費可能な電力を表すこと
を特徴とする。
［付記１８］上記のウインドパークにおいて使用されるよう及び／又は上記の方法を実行するよう又は当該方法において一緒に動作するよう構成された、とりわけ付記１７に記載の、風力発電装置。
【図１】
0006873246.tif 000002
【図２】
0006873246.tif 000003
【図３】
0006873246.tif 000004
【図４】
0006873246.tif 000005
【図５】
0006873246.tif 000006
【図６】
0006873246.tif 000007
【図７】
0006873246.tif 000008